(57)【要約】【課題】OFDM受信装置における、復調開始から有効なデジタルデータ出力を得るまでの全体の遅延時間を可能な限り短縮できるようにする。【解決手段】スイッチ１６３は、初期値出力フラグ生成部１６１から初期値出力フラグが出力されている間は、固定値出力部１６２の出力データ、即ち、「0,1等確率を示す固定値」を出力データDoutとして、ビタビ復号部に出力する。これに対して、スイッチ１６３は、初期値出力フラグ生成部１６１から初期値出力フラグが出力されていない間は、記憶部５１の出力データ、即ち、OFDM受信装置にとっての受信データ（キャリアデータ）を出力データDoutとして、ビタビ復号部に出力する。本発明は、OFDM受信装置に適用可能である。【選択図】図１１
2009005306.tif 000002
【特許請求の範囲】
【請求項１】
直交周波数分割多重方式、並びに、ISDB-T（Integrated Services Digital Broadcasting-Terrestrial）若しくは、ISDB-TSB（Integrated Services Digital Broadcasting-Terrestrial Sound Broadcasting）の規格に準拠したデータを受信する情報処理装置において、
受信データに対して所定のデインタリーブ処理を施して出力するデインタリーブ手段と、
前記デインタリーブ手段の出力データに対して、所定の誤り訂正処理を施す誤り訂正手段と
を備え、
前記デインタリーブ手段は、前記誤り訂正手段による前記誤り訂正処理の開始後から所定期間、その誤り訂正処理において消失として取り扱われる明示的な所定値である無害値を出力する
情報処理装置。
【請求項２】
前記誤り訂正手段による前記誤り訂正処理は、ビタビ復号であり、
前記デインタリーブ手段による前記デインタリーブ処理は、時間方向のデインタリーブ処理であり、
前記デインタリーブ手段は、
送信側から受信側に対して“０”，“１”の各データをそれぞれ第１の送信値，第２の送信値として送信した場合であって、その“０”と“１”の送信側の出力が等確率となっている場合に、
受信側において、その受信値から、送信側が送信したデータが“０”であったのか“１”であったのかを判断する際に、“０”を送信した確率と、“１”を送信した確率とが等しいと判断できる値が受信値となるように、その受信値に対応する送信側の第３の送信値を固定値として、
その固定値を前記無害値として出力する
請求項１に記載の情報処理装置。
【請求項３】
前記デインタリーブ手段は、
前記情報処理装置の前記受信データを構成する複数のキャリアデータのそれぞれを、所定のアドレスに書き込み、また読み出す記憶手段と、
前記複数のキャリアデータのそれぞれについて、入力タイミングに前記記憶手段に書き込むアドレスである書き込みアドレスと、出力タイミングに前記記憶手段から読み出すアドレスである読み出しアドレスとを生成するアドレス生成手段と
を備えており、
前記誤り訂正手段による前記誤り訂正処理の開始後から前記所定期間、前記無害値を出力し、
前記所定期間経過後、前記記憶手段から読み出された前記キャリアデータを出力する
請求項１に記載の情報処理装置。
【請求項４】
前記デインタリーブ手段は、さらに、
前記無害値を生成する無害値生成手段と、
前記無害値生成手段により生成された前記無害値と、前記記憶手段から読み出されるデータとのうちの一方を、前記誤り訂正手段に対して出力する出力手段と、
前記記憶手段から初期値が読み出されている間は前記所定期間であると判断して、前記無害値を前記出力手段から出力させる制御を行い、前記記憶手段からの初期値の読み出しが終了した後は、前記記憶手段から読み出された前記キャリアデータを、前記出力手段から出力させる制御を行う出力制御手段と
を備える請求項３に記載の情報処理装置。
【請求項５】
前記デインタリーブ手段は、
前記記憶手段から読み出されるデータを前記誤り訂正手段に対して出力し、
さらに、
前記無害値を生成する無害値生成手段と、
前記誤り訂正手段による前記誤り訂正処理の開始がなされるとき、前記記憶手段の初期値を、前記無害値生成手段により生成された前記無害値とする初期化処理を行う初期化手段と
を備える請求項３に記載の情報処理装置。
【請求項６】
直交周波数分割多重方式、並びに、ISDB-T（Integrated Services Digital Broadcasting-Terrestrial）若しくは、ISDB-TSB（Integrated Services Digital Broadcasting-Terrestrial Sound Broadcasting）の規格に準拠したデータを受信する情報処理装置であって、
受信データに対して所定のデインタリーブ処理を施して出力するデインタリーブ手段と、
前記デインタリーブ手段の出力データに対して、所定の誤り訂正処理を施す誤り訂正手段とを備える情報処理装置の情報処理方法において、
前記デインタリーブ手段は、前記誤り訂正手段による前記誤り訂正処理の開始後から所定期間、その誤り訂正処理において消失として取り扱われる明示的な所定値である無害値を出力する
情報処理方法。
【発明の詳細な説明】
【技術分野】
【０００１】
本発明は、情報処理装置および方法に関し、特に、OFDM受信装置における、復調開始から有効なデジタルデータ出力を得るまでの全体の遅延時間を可能な限り短縮できるようにした情報処理装置および方法に関する。
【背景技術】
【０００２】
デジタルデータを変調する方式として、直交周波数分割多重方式（OFDM：Orthogonal Frequency Division Multiplexing）と称される変調方式（ただし、以下、OFDM方式と称する）が知られている。
【０００３】
OFDM方式は、マルチパス妨害の影響を強く受ける地上波デジタル放送に適用されることが多い。OFDM方式を採用した地上波デジタル放送としては、例えば、ISDB-T（Integrated Services Digital Broadcasting-Terrestrial）や、ISDB-TSB（Integrated Services Digital Broadcasting-Terrestrial Sound Broadcasting）といった規格が存在する（非特許文献１参照）。なお、以下、特に断りのない限り、両規格をまとめて、ISDB-T規格と称する。
【０００４】
ISDB-T規格では、伝送路符号化方式として、時間インタリーブ、周波数インタリーブ、ビットインタリーブなど、多数の、そして、遅延時間の多いインタリーブを、ビタビ復号やRS復号など誤り訂正処理前に行うことが規定されている。
【０００５】
このようなISDB-T規格に従った誤り訂正部に対応して設けられる従来の時間デインタリーブ部が、例えば特許文献１乃至４等に開示されている。
【特許文献１】特開２００１−１３６４９７号公報
【特許文献２】特開２００４−２１４７３５号公報
【特許文献３】特開２００４−２９７２１６号公報
【特許文献４】特開２００１−１３６４９７号公報
【非特許文献１】「地上デジタル音声放送用受信装置 標準規格（望ましい仕様） ＡＲＩＢ ＳＴＤ −Ｂ３０ １ ．１ 版」，社団法人電波産業界，平成１３ 年５ 月３１ 日 策定，平成１４ 年３ 月２８ 日 １ ．１ 改定」
【発明の開示】
【発明が解決しようとする課題】
【０００６】
このようなOFDM受信装置では、復調開始から有効なデジタルデータ出力を得るまでの全体の遅延時間が問題となっており、かかる遅延時間を短縮したいという要望が挙げられているが、現状、かかる要望に十分応えることができていない状況である。
【０００７】
本発明は、このような状況に鑑みてなされたものであり、OFDM受信装置における、復調開始から有効なデジタルデータ出力を得るまでの全体の遅延時間を可能な限り短縮できるようにするものである。
【課題を解決するための手段】
【０００８】
本発明の一側面の情報処理装置は、直交周波数分割多重方式、並びに、ISDB-T（Integrated Services Digital Broadcasting-Terrestrial）若しくは、ISDB-TSB（Integrated Services Digital Broadcasting-Terrestrial Sound Broadcasting）の規格に準拠したデータを受信する情報処理装置であって、受信データに対して所定のデインタリーブ処理を施して出力するデインタリーブ手段と、前記デインタリーブ手段の出力データに対して、所定の誤り訂正処理を施す誤り訂正手段とを備え、前記デインタリーブ手段は、前記誤り訂正手段による前記誤り訂正処理の開始後から所定期間、その誤り訂正処理にとって無害値を出力する。
【０００９】
前記誤り訂正手段による前記誤り訂正処理は、ビタビ復号であり、前記デインタリーブ手段による前記デインタリーブ処理は、時間方向のデインタリーブ処理であり、前記デインタリーブ手段は、送信側から受信側に対して“０”，“１”の各データをそれぞれ第１の送信値，第２の送信値として送信した場合であって、その“０”と“１”の送信側の出力が等確率となっている場合に、受信側において、その受信値から、送信側が送信したデータが“０”であったのか“１”であったのかを判断する際に、“０”を送信した確率と、“１”を送信した確率とが等しいと判断できる値が受信値となるように、その受信値に対応する送信側の第３の送信値を固定値として、その固定値を前記無害値として出力する。
【００１０】
前記デインタリーブ手段は、前記情報処理装置の前記受信データを構成する複数のキャリアデータのそれぞれを、所定のアドレスに書き込み、また読み出す記憶手段と、前記複数のキャリアデータのそれぞれについて、入力タイミングに前記記憶手段に書き込むアドレスである書き込みアドレスと、出力タイミングに前記記憶手段から読み出すアドレスである読み出しアドレスとを生成するアドレス生成手段とを備えており、前記誤り訂正手段による前記誤り訂正処理の開始後から前記所定期間、前記無害値を出力し、前記所定期間経過後、前記記憶手段から読み出された前記キャリアデータを出力する。
【００１１】
前記デインタリーブ手段は、さらに、前記無害値を生成する無害値生成手段と、前記無害値生成手段により生成された前記無害値と、前記記憶手段から読み出されるデータとのうちの一方を、前記誤り訂正手段に対して出力する出力手段と、前記記憶手段から初期値が読み出されている間は前記所定期間であると判断して、前記無害値を前記出力手段から出力させる制御を行い、前記記憶手段からの初期値の読み出しが終了した後は、前記記憶手段から読み出された前記キャリアデータを、前記出力手段から出力させる制御を行う出力制御手段とを備える。
【００１２】
前記デインタリーブ手段は、前記記憶手段から読み出されるデータを前記誤り訂正手段に対して出力し、さらに、前記無害値を生成する無害値生成手段と、前記誤り訂正手段による前記誤り訂正処理の開始がなされるとき、前記記憶手段の初期値を、前記無害値生成手段により生成された前記無害値とする初期化処理を行う初期化手段とを備える。
【００１３】
本発明の一側面の情報処理方法は、上述した本発明の一側面の情報処理装置に対応する情報処理である。
【００１４】
本発明の一側面の情報処理装置および方法においては、直交周波数分割多重方式、並びに、ISDB-T（Integrated Services Digital Broadcasting-Terrestrial）若しくは、ISDB-TSB（Integrated Services Digital Broadcasting-Terrestrial Sound Broadcasting）の規格に準拠したデータを受信する情報処理装置であって、受信データに対して所定のデインタリーブ処理を施して出力するデインタリーブ手段と、前記デインタリーブ手段の出力データに対して、所定の誤り訂正処理を施す誤り訂正手段とを備える情報処理装置において、次のような処理がなされる。即ち、前記デインタリーブ手段において、前記誤り訂正手段による前記誤り訂正処理の開始後から所定期間、その誤り訂正処理において消失として取り扱われる明示的な所定値である無害値が出力される。
【発明の効果】
【００１５】
以上のごとく、本発明の一側面によれば、いわゆるOFDM受信装置を提供できる。特に、OFDM受信装置における、復調開始から有効なデジタルデータ出力を得るまでの全体の遅延時間を可能な限り短縮できる。
【発明を実施するための最良の形態】
【００１６】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１７】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００１８】
本発明の一側面の情報処理装置（例えば図１のOFDM受信装置１０）は、
直交周波数分割多重方式、並びに、ISDB-T（Integrated Services Digital Broadcasting-Terrestrial）若しくは、ISDB-TSB（Integrated Services Digital Broadcasting-Terrestrial Sound Broadcasting）の規格に準拠したデータを受信する情報処理装置において、
受信データに対して所定のデインタリーブ処理を施して出力するデインタリーブ手段（例えば図１の時間デインタリーブ部２２等）と、
前記デインタリーブ手段の出力データに対して、所定の誤り訂正処理を施す誤り訂正手段（例えば図１のビタビ復号部２６等）と
を備え、
前記デインタリーブ手段は、前記誤り訂正手段による前記誤り訂正処理の開始後から所定期間、その誤り訂正処理において消失として取り扱われる明示的な所定値である無害値を出力する。
【００１９】
前記誤り訂正手段（例えば図１のビタビ復号部２６）による前記誤り訂正処理は、ビタビ復号であり、
前記デインタリーブ手段（例えば図１の時間デインタリーブ部２２）による前記デインタリーブ処理は、時間方向のデインタリーブ処理であり、
前記デインタリーブ手段は、
送信側（例えば図５の送信器８１）から受信側（例えば図５の受信器８３）に対して“０”，“１”の各データをそれぞれ第１の送信値（例えば図５の１レベル），第２の送信値（例えば図５の−１レベル）として送信した場合であって、その“０”と“１”の送信側の出力が等確率となっている場合（例えば図５の受信器８３の受信レベルの頻度分布状態が、図８に示される状態となっている場合）、
受信側において、その受信値から、送信側が送信したデータが“０”であったのか“１”であったのかを判断する際に、“０”を送信した確率と、“１”を送信した確率とが等しいと判断できる値（例えば図８のレベルＬβ）が受信値となるように、その受信値に対応する送信側の第３の送信値を固定値として、
その固定値を前記無害値として出力する。
【００２０】
前記デインタリーブ手段は、
前記情報処理装置の前記受信データを構成する複数のキャリアデータのそれぞれを、所定のアドレスに書き込み、また読み出す記憶手段（例えば図１１や図１２の記憶部５１）と、
前記複数のキャリアデータのそれぞれについて、入力タイミングに前記記憶手段に書き込むアドレスである書き込みアドレスと、出力タイミングに前記記憶手段から読み出すアドレスである読み出しアドレスとを生成するアドレス生成手段（例えば図１１や図１２のアドレス生成部５２）と
を備えており、
前記誤り訂正手段による前記誤り訂正処理の開始後から前記所定期間、前記無害値を出力し、
前記所定期間経過後、前記記憶手段から読み出された前記キャリアデータを出力する。
【００２１】
前記デインタリーブ手段（例えば図１１の構成の時間デインタリーブ部２２）は、さらに、
前記無害値を生成する無害値生成手段（例えば図１１の固定値出力部１６２）と、
前記無害値生成手段により生成された前記無害値と、前記記憶手段から読み出されるデータとのうちの一方を、前記誤り訂正手段に対して出力する出力手段（例えば図１１のスイッチ１６３）と、
前記記憶手段から初期値が読み出されている間は前記所定期間であると判断して、前記無害値を前記出力手段から出力させる制御を行い、前記記憶手段からの初期値の読み出しが終了した後は、前記記憶手段から読み出された前記キャリアデータを、前記出力手段から出力させる制御を行う出力制御手段（例えば図１１の初期値出力フラグ生成部１６１）と
を備える。
【００２２】
前記デインタリーブ手段（例えば図１２の構成の時間デインタリーブ部２２）は、
前記記憶手段から読み出されるデータを前記誤り訂正手段に対して出力し、
さらに、
前記無害値を生成する無害値生成手段（例えば図１２の固定値出力部１６２）と、
前記誤り訂正手段による前記誤り訂正処理の開始がなされるとき、前記記憶手段の初期値を、前記無害値生成手段により生成された前記無害値とする初期化処理を行う初期化手段（例えば図１２の初期値書き込みアドレス生成部１９１乃至スイッチ１９３）と
を備える。
【００２３】
本発明の一側面の情報処理方法は、上述した本発明の一側面の情報処理装置（例えば図１のOFDM受信装置１０）に対応する情報処理である。
【００２４】
図１は、本発明が適用される情報処理装置の一実施の形態としてのOFDM受信装置のブロック図である。
【００２５】
図１のOFDM受信装置１０は、ISDB-T規格を採用しており、アンテナ１１乃至RS復号部３０を含むように構成されている。
【００２６】
図示せぬOFDM送信装置から送信された送信波は、OFDM受信装置１０のアンテナ１１で受信され、RF信号としてチューナ部１２に提供される。
【００２７】
アンテナ１１で受信されたRF信号は、乗算部１２ａおよび局部発振部１２ｂからなるチューナ部１２によりIF信号に周波数変換され、BPF部１３に提供される。局部発振部１２ｂから発振される受信キャリア信号の発振周波数は、チャンネル選択部３２から提供されるチャンネル選択信号に応じて切り換えられる。
【００２８】
チューナ部１２から出力されたIF信号は、BPF部１３によりフィルタリングされた後、Ａ／Ｄ変換部１４によりデジタル化される。デジタル化されたIF信号は、DCキャンセル部１５によってDC成分が除去され、デジタル直交復調部１６に提供される。
【００２９】
デジタル直交復調部１６は、所定の周波数（キャリア周波数）のキャリア信号を用いて、デジタル化されたIF信号を直交復調し、ベースバンドのOFDM信号を出力する。ベースバンドのOFDM信号は、直交復調された結果、実軸成分（Iチャネル信号）と、虚軸成分（Qチャネル信号）とから構成される複素信号となる。かかる複素信号、即ち、デジタル直交復調部１６から出力されるベースバンドのOFDM信号は、FFT部１７および同期部１９に提供される。
【００３０】
FFT部１７は、ベースバンドのOFDM信号に対してFFT演算を行い、各サブキャリアに直交変調されている信号を抽出して出力する。FFT部１７は、１つのOFDMシンボルから有効シンボル長分の信号を抜き出し、抜き出した信号に対してFFT演算処理を施す。即ち、FFT部１７は、１つのOFDMシンボルからガードインターバル長分の信号を除去し、残った信号に対してFFT演算処理を施す。
【００３１】
こここで、FFT部１７により抽出された各サブキャリアに変調されていた信号は、実軸成分（Iチャネル信号）と虚軸成分（Qチャネル信号）とから構成される複素信号である。このFFT部１７により抽出された信号は、フレーム検出部１８、伝送制御情報復号部３１、同期部１９およびキャリア復調部２０にそれぞれ提供される。
【００３２】
フレーム検出部１８は、FFT部１７により復調された信号の所定のサブキャリアからTMCC信号を抽出し、TMCC信号から同期信号を検出してOFDM伝送フレームの境界を検出し、検出したフレームの境界位置を同期部１９等に提供する。
【００３３】
同期部１９は、ベースバンドのOFDM信号、FFT部１７による復調後の各サブキャリアに変調されていた信号、OFDMシンボルの境界、チャンネル選択部３２からのチャンネル選択信号等を用いて、FFT部１７に対してFFT演算処理の演算範囲やそのタイミング等の同期処理他各種の同期処理を実行する。
【００３４】
キャリア復調部２０には、FFT部１７の出力信号、即ち、各サブキャリアから復調された後の信号が提供される。そこで、キャリア復調部２０は、その信号に対してキャリア復調処理を施す。具体的には、キャリア復調部２０は、差動変調信号（DQPSK）に対する差動復調処理や、同期変調信号（QPSK，16QAM、64QAM）に対する等化処理を実行する。
【００３５】
キャリア復調部２０の出力信号、即ち、キャリア復調された信号は、周波数デインタリーブ部２１によって周波数方向のデインタリーブ処理がされ、続いて、時間デインタリーブ部２２によって時間方向のデインタリーブ処理がされた後、デマッピング部２３に提供される。
【００３６】
なお、時間デインタリーブ部２２の詳細については、図２以降の図面を参照して後述する。
【００３７】
デマッピング部２３は、時間デインタリーブ部２２の出力信号、即ち、キャリア復調された信号（複素信号）に対してデータの再割付処理（デマッピング処理）を施すことで、伝送データ系列を復元する。例えばISDB-T規格のOFDM信号を復調する場合であれば、デマッピング部２３は、QPSK、16QAM、または64QAMに対応したデマッピング処理を実行する。
【００３８】
デマッピング部２３から出力され伝送データ系列は、ビットデインタリーブ部２４、デパンクチャ部２５、ビタビ復号部２６ 、バイトデインタリーブ部２７、拡散信号除去部２８を通過することにより、多値シンボルの誤り分散のためのビットインタリーブに対応したデインタリーブ処理、伝送ビットの削減のためのパンクチャリング処理に対応したデパンクチャリング処理、畳み込み符号化されたビット列の復号のためのビタビ復号処理、バイト単位でのデインタリーブ処理、エネルギー拡散処理に対応したエネルギー逆拡散処理がそれぞれ施されて、トランスポートストリーム生成部２９に入力される。
【００３９】
トランスポートストリーム生成部２９は、例えばヌルパケット等の各放送方式で規定されるデータを、ストリームの所定の位置に挿入する。また、トランスポートストリーム生成部２９は、断続的に供給されてくるストリームのビット間隔を平滑化して時間的に連続したストリームとする、いわゆるスムージング処理を実行する。このようなスムージング処理が施された伝送データ系列は、即ち、トランスポートストリーム生成部２９の出力信号は、RS復号部３０に提供される。
【００４０】
RS復号部３０は、入力された伝送データ系列に対してリードソロモン復号処理を施し、MPEG-2システムズで規定されたトランスポートストリームとして出力する。
【００４１】
伝送制御情報復号部３１には、フレーム検出部１８により同期が取られた後のTMCC信号が入力される。そこで、伝送制御情報復号部３１は、このTMCC信号からTMCC情報（伝送制御情報）を復号し、復号したTMCC情報を、キャリア復調部２０、時間デインタリーブ部２２、デマッピング部２３、ビットデインタリーブ部２４、および、トランスポートストリーム生成部２９にそれぞれ提供することで、各部の復調や再生等の制御を行う。
【００４２】
ここで、本発明が適用される時間デインタリーブ部２２について説明する前に、その理解を容易なものとすべく、従来の時間デインタリーブ部について説明する。例えば、図２の例の従来の時間デインタリーブ部４１は、上述した［特許文献２］に開示されている構成のものである。
【００４３】
以下、図１のOFDM受信装置１０に対して、本発明が適用される時間デインタリーブ部２２の代わりに、従来の時間デインタリーブ部４１が搭載されたOFDM受信装置、即ち、従来のOFDM受信装置について考える。
【００４４】
かかる従来のOFDM受信装置に搭載される従来の時間デインタリーブ部４１は、例えばRAM等で構成される記憶部５１と、アドレス生成部５２とを含むように構成される。
【００４５】
上述したように、周波数デインタリーブ部２１（図１）の出力信号、即ち、周波数デインタリーブ部２１による周波数方向のデインタリーブ処理後のキャリア復調された信号が、従来の時間デインタリーブ部４１に入力される。この周波数デインタリーブ部２１の出力信号は、OFDMシンボルと称されるOFDM変調単位のデータ毎に入力される。OFDMシンボルは、１３セグメントに分けられており、各セグメントにおけるキャリア数ncとしては、nc=96（Mode1），nc=192（Mode2），nc=384（Mode3）が規定されている。即ち、nc個のキャリアデータからなるセグメントが１３個分集合したものが、OFDMシンボルである。そして、このOFDMシンボルが複数連続配置された信号が、周波数デインタリーブ部２１の出力信号となる。
【００４６】
この場合、図２において、周波数デインタリーブ部２１の出力信号の従来の時間デインタリーブ部４１への入力としては次のようになる。即ち、OFDMシンボル毎に、そのOFDMシンボルを構成する(nc×１３)個のキャリアデータのそれぞれぞれが、従来の時間デインタリーブ部４１に入力データDinとして順次入力されてくる。
【００４７】
具体的には例えば、OFDMシンボルを構成する１３個のセグメントのそれぞれには、セグメント番号０乃至１３のそれぞれが付されており、その順番で、従来の時間デインタリーブ部４１に順次入力されてくる。さらに、各セグメントを構成するnc個のキャリアデータのそれぞれにも、キャリア番号０乃至ncのそれぞれが付されており、その順番で、入力データDinとして従来の時間デインタリーブ部４１に順次入力されてくる。従って、１つの所定キャリアデータは、セグメント番号とキャリア番号とによって一意に特定することができる。
【００４８】
そこで、詳細については後述するが、アドレス生成部５２は、１つの所定キャリアデータが従来の時間デインタリーブ部４１に入力されてきたとき、記憶部５１の複数のアドレスのうちの、その所定キャリアデータのセグメント番号およびキャリア番号に対応するアドレスを書き込みアドレスAdwとして記憶部５１に与える。なお、以下、かかる処理をアドレス書き込み制御処理と称する。
【００４９】
このようなアドレス書き込み制御処理により書き込みアドレスAdwが与えられると、記憶部５１は、その所定キャリアデータを入力データDinとして、この書き込みアドレスAdwに書き込む（記憶する）。
【００５０】
具体的には例えば、アドレス生成部５２は、アドレス書き込み制御処理を実行する場合、即ち、所定キャリアデータを入力データDinとして記憶部５１に書き込む制御を行う場合には、前回の別のキャリアデータが出力データDoutとして出力された記憶領域のアドレス、即ち、前回の別のキャリアデータの読み出しアドレスAdrを、書き込みアドレスAdwとして記憶部５１に与える。
【００５１】
この場合例えば、前回の別のキャリアデータの読み出しアドレスAdrを特にAdr-k-1と記述し、所定キャリアデータの書き込みアドレスAdwを特にAdw-kと記述すると、所定キャリアデータの書き込みアドレスAdw-kは、次の式（１）のように表される。なお、符号ｋは、周波数デインタリーブ部２１からキャリアデータが入力されるたびに「１」ずつインクリメントされる整数を示している。
【００５２】
Adw-k  ＝  Adr-k-1        ・・・（１）
【００５３】
また、アドレス生成部５２は、このようなアドレス書き込み制御処理と並行して、１つの所定キャリアデータを所定遅延時間（各キャリアデータ毎に算出される遅延時間）後に従来の時間デインタリーブ部４１から出力させる処理を実行している。なお、以下、かかる処理をアドレス読み出し制御処理と称する。即ち、アドレス生成部５２は、アドレス読み出し制御処理として、その読み出し対象の所定キャリアデータのセグメント番号およびキャリア番号に対応するアドレスを、読み出しアドレスAdrとして記憶部５１に与える。
【００５４】
このようなアドレス読み出し制御処理により読み出しアドレスAdrが与えられると、記憶部５１は、この読み出しアドレスAdrに記憶されていた所定キャリアデータを出力データDoutとして、デマッピング部２３に出力する。
【００５５】
具体的には例えば、アドレス生成部５２は、アドレス読み出し制御処理を実行する場合、即ち、所定キャリアデータを出力データDoutとして記憶部５１から読み出す制御を行う場合には、入力データDin（別のキャリアデータ）のキャリア番号に対して設定された遅延数に応じたアドレス幅だけ、その入力データDinの書き込みアドレスAdwの末尾方向にシフトさせたアドレスを、読み出しアドレスAdrとして記憶部５１に与える。
【００５６】
この場合例えば、記憶部５１がアドレス値「１」ごとに１つのキャリアデータを記憶できる構成であるとし、入力データDinの書き込みアドレスAdwを特にAdw-kと記述し、所定キャリアデータの読み出しアドレスAdrを特にAdr-kと記述すると、所定キャリアデータの読み出しアドレスAdr-kは、次の式（２）のように表される。
【００５７】
Adr-k  ＝  Adw-k  ＋  D_BUF(i)      ・・・（２）
【００５８】
なお、D_BUF(i)は、その所定キャリアデータの遅延数を示している。詳細には、符号iは、読み出し対象の所定キャリアデータのキャリア番号を示しており、0乃至(nc-1)の整数値である。この場合、インタリーブ長にかかわる予め設定されたパラメータをIと記述した場合、D_BUF(i)は、次の式（３）で表すことができる。
【００５９】
D_BUF(i)  ＝  Ｉ×｛95  −  (i×5)mod 96｝      ・・・（３）
【００６０】
なお、式（３）における(i×5)mod 96は、「(i×5)」を「96」で除算した場合の余りを示している。
【００６１】
ただし、式（２）により算出された読み出しアドレスAdr-kが、記憶部５１の記憶領域の末尾アドレスAmaxを越えた場合、その式（２）の算出結果を採用せずに、例えば次のように取り扱うとする。即ち、記憶部５１の記憶領域の先頭に戻り、超過分のアドレス幅だけ記憶領域の先頭アドレスAminの末尾方向にシトさせたアドレスが、読み出しアドレスAdr-kとして採用されるとする。具体的には、読み出しアドレスAdr-kは、次の式（４）のように表される。
【００６２】
Adr-k  ＝  Adw-k  ＋  D_BUF(i)  −  （Amax  ＋  １）  ＋  Amin    ・・・（４）
ただし、Adw-k  ＋  D_BUF(i)  ≧  Amax  ＋  １
【００６３】
このように、アドレス生成部５２は、先頭アドレスAminと末尾アドレスAmaxとを連結させたリング状のアドレス空間に対して、アドレス書き込み制御処理とアドレス読み出し制御処理とを並列的に実行する。アドレス書き込み制御処理およびアドレス読み出し制御処理においては、このリング状のアドレス空間において一定の方向にシフトするアドレスが生成される。
【００６４】
このようなアドレス生成部５２は、例えば図２に示されるように、計数部６１と、アドレス保持部６２と、アドレス生成部６３とを含むように構成される。
【００６５】
計数部６１は、周波数デインタリーブ部２１（図１）からの所定キャリアデータ、即ち、入力データDinを計数し、OFDMシンボルの先頭のキャリアデータであることを示すフラグ（以下、OFDMシンボル先頭フラグと称する）が入力される度にこの計数値を初期化する。キャリアデータの計数は、たとえば、キャリアデータの入力タイミングに同期した図示せぬクロック信号を計数することにより行われるとする。
【００６６】
アドレス保持部６２は、アドレス生成部６３において演算された読み出しアドレスAdr-kを保持する。この保持された読み出しアドレスAdr-kは、次に入力データDinとして入力されるキャリアデータにとっては、前回の読み出しアドレスAdr-k-1となる。従って、上述した式（１）から明らかなように、この保持された読み出しアドレスAdr-kは、次に入力データDinとして入力されるキャリアデータの書き込みアドレスAdw-kとして用いられることになる。
【００６７】
アドレス保持部６２は、外部からリセットがかかると、その保持内容を初期状態に戻す。このリセットは、主に、図１のOFDM受信装置１０全体の復調の処理開始時点に、例えば伝送制御情報復号部３１に与えられる。
【００６８】
アドレス生成部６３は、計数部６１の計数値に応じて、上述した式（１）乃至（４）等を適宜演算することで、記憶部５１に対する書き込みアドレスAdw-kと読み出しアドレスAdr-kとをそれぞれ算出し、記憶部５１に与える。
【００６９】
ここで、リセット直後、即ち、従来のOFDM受信装置全体の復調の処理開始時直後における従来の時間デインタリーブ部４１の処理について考える。
【００７０】
この場合、従来のアドレス生成部６３によって、読み出しアドレスAdr-kが記憶部５１に与えられないか、或いは読み出しアドレスAdr-kが与えられたとしてもその読み出しアドレスAdr-kには初期値が格納されている。従って、リセット直後には、記憶部５１の初期値、即ち、周波数デインタリーブ部２１からのキャリアデータとは無関係なデータが、出力データDoutとして出力されることとなる。なお、このことは、図２の従来の時間デインタリーブ部４１の記憶部５１ように、RAMで構成されている遅延用の記憶装置のみならず、それより以前から存在する全てFIFOバッファで構成されている遅延用の記憶装置についても全く同様にあてはまる。
【００７１】
この場合、後段の誤り訂正部の観点からすると、復調の処理開始直後においては、OFDM送信装置から送信されて受信されたデータ、即ち、受信装置にとっての受信データ（キャリアデータ）のみが入力されるのではなく、従来の時間デインタリーブ部の記憶装置の初期値が入り混じって入力されることになる。この従来の時間デインタリーブ部の記憶装置の初期値は、実装形態により変動する値であって、誤り訂正部の観点からは、訂正すべき箇所とみなされる。従って、記憶装置の初期値が入り混じって入力されている時間帯では、誤り訂正部は、正しい処理結果、即ち整合性の取れた結果を出力することができないことになる。
【００７２】
このことについて、図３と図４を参照してさらに説明する。図３は、従来のOFDM受信装置のうちの、従来の時間デインタリーブ部４１とビタビ復号部２６のみを示した概略図である。即ち、ビタビ復号部２６が、後段の誤り訂正部に相当する。
【００７３】
この図３に示される、従来の時間デインタリーブ部４１の入力信号Ｓａ、並びに、ビタビ復号部２６の入力信号Ｓｂおよび出力信号Ｓｃについての各タイミングチャートの一例が、図４に示されている。
【００７４】
図４の一番上のタイミングチャート、即ち、従来の時間デインタリーブ部４１の入力信号Ｓａは、全て同一階調の灰色で塗布されている。この階調の灰色は、OFDM受信装置にとっての受信データ（キャリアデータ）を示している。
【００７５】
一方、図４の中央のタイミングチャート、即ち、ビタビ復号部２６の入力信号Ｓｂは、灰色のグラデーションとなって塗布されている。このことは次のことを意味する。即ち、図４中、時刻t0近辺の左方の階調の灰色は、従来の時間デインタリーブ部４１の記憶部５１の初期値を示している。これに対して、図４中、右方の階調の灰色は、その上方と同一階調の灰色であり、OFDM受信装置にとっての受信データ（キャリアデータ）を示している。即ち、ビタビ復号部２６に対しては、時刻t0であるリセット直後（動作開始直後）においては記憶部５１の初期値が入力され、その後しばらくの間、その初期値とともに、徐々に、OFDM受信装置にとっての受信データ（キャリアデータ）も入り混じって入力されていく。この様子がグラデーションで描かれている。換言すると、記憶部５１の初期値とOFDM受信装置にとっての受信データ（キャリアデータ）との混在率に応じた階調の灰色となっている（図４中符号Sb0やSbaが付された丸印内の階調参照）。
【００７６】
このように、OFDM受信装置にとっての受信データ（キャリアデータ）を示す階調の灰色となる時刻taまでの間の時間帯Ｔａｎは、記憶部５１の初期値と、OFDM受信装置にとっての受信データ（キャリアデータ）とが混在している時間帯となる。
【００７７】
従って、この時間Ｔａｎでは、ビタビ復号部２６によるビタビ復号は、記憶部５１の初期値によって阻害されてしまい、正しくできない状態となってしまう。
【００７８】
即ち、時刻ta以降の時間帯Tayになって初めて、ビタビ復号部２６の正常な復号が行われるようになる。即ち、OFDM受信装置にとっての受信データ（キャリアデータ）に応じたビタビ復号結果が、ビタビ復号部２６から出力されるようになる。
【００７９】
このように、従来のOFDM受信装置では、従来の時間デインタリーブ部４１をはじめとして、デインタリーブ部による遅延が、復調開始から有効なデジタルデータ出力を得るまでの全体の遅延時間の主たる要因となっている。
【００８０】
ただし、このデインタリーブ部による遅延自体は、ISDB-T規格で規定されているため、短縮は図れない。
【００８１】
しかしながら、従来のOFDM受信装置における、復調開始から有効なデジタルデータ出力を得るまでの全体の遅延の要因は、デインタリーブ部による遅延自体だけではなく、ある一定時間が経過するまでは（上述した図４の例では、時間帯Tanが経過するまでは）、デインタリーブ部からは、その記録装置の初期値が混在して出力され、かつ、かかる初期値は変動値であるため、後段の誤り訂正部において、整合性が取れた結果を出力することができないという要因も存在する、と本発明人は想到した。この内容が、図４を用いて説明した内容に相当する。
【００８２】
そこで、本発明人は、かかる要因を除去して、デインタリーブ部の後段の誤り訂正処理部を有効活用する手法が存在すれば、結果として、OFDM受信装置における、復調開始から有効なデジタルデータ出力を得るまでの全体の遅延時間を短縮できる、と想到した。そして、本発明人は、かかる手法として、次のような手法を発明した。
【００８３】
即ち、デインタリーブ部が、その記録装置の初期値の代わりに、後段の誤り訂正部にとって無害な値を出力する、という手法を本発明人は発明した。
【００８４】
ここで、無害な値とは、後段の誤り訂正部が、その誤り訂正処理時に消失（erasure）として取り扱うことができる明示的な値をいう。
【００８５】
かかる手法が適用された場合であっても、ある一定時間が経過するまでは（上述した図４の例では、時間帯Tanが経過するまでは）、デインタリーブ部からは、OFDM受信装置にとっての受信データ（キャリアデータ）のみならず、「後段の誤り訂正部にとって無害な値」が混在して出力されることには変わりはない。
【００８６】
しかしながら、後段の誤り訂正部からすれば、OFDM受信装置にとっての受信データ（キャリアデータ）と混在しているデータは、デインタリーブ部の記録装置の初期値（変動値）ではなく、「後段の誤り訂正部にとって無害な値」である。従って、後段の誤り訂正部は、完全に「後段の誤り訂正部にとって無害な値」が混在しなくなる一定時間が経過する（上述した図４の例では、時間帯Tanが経過する）前の段階で、整合の取れた訂正処理を実行できるようになる。このことは、OFDM受信装置における、復調開始から有効なデジタルデータ出力を得るまでの全体の遅延時間を短縮できたことを意味する。
【００８７】
ここで、「後段の誤り訂正部にとって無害な値」とは、その後段の誤り訂正部の誤り訂正処理の種類によって異なることになる。
【００８８】
例えば、誤り訂正処理がRS復号であれば、消失フラグ等、誤り訂正処理部側にとって明示的な固定値を「後段の誤り訂正部にとって無害な値」として採用する好適である。
【００８９】
また例えば、誤り訂正処理がビタビ（Viterbi）復号の場合には、「0,1等確率を示す固定値」を、「後段の誤り訂正部にとって無害な値」として採用する好適である。
【００９０】
ここで、図５乃至図８を参照して、「0,1確率を示す固定値」について説明する。
【００９１】
例えば図５に示されるような伝送路、即ち、送信器８１から送信されたデータが通信路８２を介して受信器８３に受信されるまでの伝送路を考える。
【００９２】
ここで、送信器８１から送信されるデータとは、“０”または“１”のデータを意味するとする。ただし、かかるデータの送信器８１の出力形態は、所定のレベル値（例えば電圧値等）の電気信号の形態であるとする。具体的には例えば図５の例では、“０”については１レベルの電気信号（例えば１ボルトの電気信号）として送信器８１から出力され、“１”については−１レベルの電気信号（例えば−１ボルトの電気信号）として送信器８１から出力される。
【００９３】
この場合、通信路８２が理想的なものであれば、即ち、減衰も生ぜず、ノイズ等も全く加わらないならば、１レベルの電気信号（例えば１ボルトの電気信号）として送信器８１から送信された“０”は、１レベルの電気信号のまま受信器８３に受信されるはずである。換言すると、多数の“０”、即ち、多数の１レベルの電気信号（例えば１ボルトの電気信号）のみが送信器８１から送信された場合、受信器８３側の受信レベル値の頻度分布は、図示はしないが、１レベルに一極集中するはずである。
【００９４】
ところが、通信路８２において伝送される電気信号は、実際には、減衰が生じたり、ノイズ等が加わる。従って、多数の“０”、即ち、多数の１レベルの電気信号（例えば１ボルトの電気信号）のみが送信器８１から送信された場合、受信器８３側の受信レベル値の実際の頻度分布は、図６に示されるような分布となる。
【００９５】
以上の内容は、−１レベルの電気信号（例えば−１ボルトの電気信号）のみが送信器８１から送信された場合にも同様に当てはまる。具体的には例えば、多数の“１”、即ち、多数の−１レベルの電気信号（例えば−１ボルトの電気信号）のみが送信器８１から送信された場合、受信器８３側の受信レベル値の実際の頻度分布は、図７に示されるような分布となる。
【００９６】
従って、“０”と“１”とが等確率で送信器８１から送信された場合、即ち、送信器８１から出力される電気信号のレベル値が−１レベルと１レベルとが等確率である場合、受信器８３側の受信レベル値の実際の頻度分布は、図８に示されるような分布となる。
【００９７】
この場合、図８の受信レベルＬαの電気信号が受信器８３に受信された場合、受信器８３は、送信器８１から“１”（−１レベルの電気信号）が送信された確率の方が、送信器８１から“０”（１レベルの電気信号）が送信された確率よりも高いと判断することができる。
【００９８】
また、図８の受信レベルＬβ（図８の例では略０レベル）の電気信号が受信器８３に受信された場合、受信器８３は、送信器８１から“１”（−１レベルの電気信号）が送信された確率と、送信器８１から“０”（１レベルの電気信号）が送信された確率とが等しいと判断することができる。
【００９９】
ここで、受信器８３がビタビ復号部２６（図１）である場合、そのビタビ復号にとって、このような受信レベルＬβ（図８の例では略０レベル）の受信信号は無害な信号となる。
【０１００】
即ち、受信レベル値の呼称を「受信値」と改め、送信器８１から“１”（−１レベルの電気信号）が送信された確率と、送信器８１から“０”（１レベルの電気信号）が送信された確率とが等しいことを、「0,1等確率」と称するとする。このような呼称によれば、図８の受信値Ｌβとは、0,1等確率の受信値の一例であるといえる。
【０１０１】
従って、送信器８１側が、受信器８３側で0,1等確率の受信値が受信されるような固定値を送信するようにすれば、受信器８３としてのビタビ復号部２６のビタビ復号処理にとっては、その固定値に対応する受信値、即ち、0,1等確率の受信値は無害な値となる。この0,1等確率の受信値が受信器８３側で受信されるように、送信器８１側から送信される固定値が、「0,1等確率を示す固定値」である。
【０１０２】
この場合、受信器８３がビタビ復号部２６（図１）である場合、図示せぬ畳み込み符号化器が送信器８１に対応する。そこで、畳み込み符号化器とビタビ復号部２６の間に位置する時間デインタリーブ部２２が、リセット直後、即ち、ビタビ復号部２６の復号開始直後においては、その記録装置（図２でいう記憶部５１に相当）の初期値の代わりに、後段のビタビ復号部２６とって無害な値である「0,1等確率を示す固定値」を出力するのである。
【０１０３】
このような本発明が適用される図１のOFDM受信装置１０のうちの、本発明が適用される時間デインタリーブ部２２（以下、本発明の時間デインタリーブ部２２と称する）とビタビ復号部２６のみを示した概略図が、図９に示されている。また、この図９に示される、時間デインタリーブ部２２の入力信号Ｓａ’、並びに、ビタビ復号部２６の入力信号Ｓｂ’ および出力信号Ｓｃ’についての各タイミングチャートの一例が、図１０に示されている。
【０１０４】
即ち、図９と図１０は、本発明の効果のひとつを、従来の問題点を示す図３と図４と比較しつつ説明するための図である。
【０１０５】
図１０の一番上のタイミングチャート、即ち、本発明の時間デインタリーブ部２２の入力信号Ｓａ’は、全て同一階調の灰色で塗布されている。この階調の灰色は、OFDM受信装置にとっての受信データ（キャリアデータ）を示している。
【０１０６】
一方、図１０の中央のタイミングチャート、即ち、ビタビ復号部２６の入力信号Ｓｂ’は、灰色のグラデーションとなって塗布されている。このことは次のことを意味する。即ち、図１０中、時刻t0近辺の左方の階調の灰色は、「0,1等確率を示す固定値」を示している。これに対して、図１０中、右方の階調の灰色は、その上方と同一階調の灰色であり、OFDM受信装置にとっての受信データ（キャリアデータ）を示している。即ち、ビタビ復号部２６に対しては、時刻t0であるリセット直後（動作開始直後）においては「0,1等確率を示す固定値」が入力され、その後しばらくの間、その「0,1等確率を示す固定値」とともに、徐々に、OFDM受信装置にとっての受信データ（キャリアデータ）も入り混じって入力されていく。この様子がグラデーションで描かれている。換言すると、「0,1等確率を示す固定値」とOFDM受信装置にとっての受信データ（キャリアデータ）との混在率に応じた階調の灰色となっている（図１０中符号Sb’bが付された丸印内の階調参照）。
【０１０７】
このように、時刻t0乃至時刻taまでの時間帯Ｔａｎは、「0,1等確率を示す固定値」と、OFDM受信装置にとっての受信データ（キャリアデータ）とが混在している時間帯となる。このような入力に混在が生じている時間帯Ｔａｎが存在する点については、従来と変わりはない（図４参照）。
【０１０８】
ところが、この時間帯Ｔａｎにおいて、OFDM受信装置にとっての受信データ（キャリアデータ）と混在しているデータは、従来においては、ビタビ復号部２６によるビタビ復号処理にとって有害な値、即ち、従来の時間デインタリーブ部４１の記憶部５１の初期値であったのに対して（図２乃至図４参照）、本実施の形態においては、ビタビ復号部２６によるビタビ復号処理にとって無害な値、即ち、「0,1等確率を示す固定値」となっているのである。
【０１０９】
その結果、ビタビ復号部２６の正常な復号が行われるようになるタイミングは、従来では図４に示されるように、この時間帯taを過ぎる時刻taであったところ、本実施の形態では図１０に示されるように、その時刻taよりも時間Ｔｓだけ早い時刻tbとなっているのである。
【０１１０】
即ち、ビタビ復号部２６により正しくビタビ復号ができない時間帯は、従来は時間帯Ｔａｎであったところ、本実施の形態では時間Ｔａｎとなる（図４と図１０参照）。その結果、ビタビ復号部２６は、時間Ｔｓだけ早期に正常出力ができるようになり、ひいては、OFDM受信装置１０（図１）全体における、復調開始から有効なデジタルデータ出力を得るまでの全体の遅延時間を従来と比較して短縮できるようになるのである。
【０１１１】
このような効果を奏することが可能な本発明の時間デインタリーブ部２２は、リセット直後、即ち、ビタビ復号部２６の復号開始直後において、「0,1等確率を示す固定値」を出力できる機能を有していれば、その構成は特に限定されない。例えば、本発明の時間デインタリーブ部２２は、図１１や図１２に示されるように構成することができる。即ち、図１１や図１２は、本発明の時間デインタリーブ部２２の詳細な構成例をそれぞれ示している。
【０１１２】
図１１の例の時間デインタリーブ部２２には、従来と同様の記憶部５１とアドレス生成部５２（図２参照）に加えてさらに、初期値出力フラグ生成部１６１、固定値出力部１６２、およびスイッチ１６３が設けられている。
【０１１３】
初期値出力フラグ生成部１６１には、アドレス生成部５２と同様の入力信号、即ち、リセットとOFDMシンボル先頭フラグが入力される。そこで、初期値出力フラグ生成部１６１は、これらの入力信号に基づいて、記憶部５１から初期値が出力されている状態か否かを判断する。初期値出力フラグ生成部１６１は、記憶部５１から初期値が出力されている状態であると判断した場合、その状態を示すフラグ（以下、初期値出力フラグと称する）をスイッチ１６３に対して出力する。
【０１１４】
固定値出力部１６２は、上述した「0,1等確率を示す固定値」を出力する。
【０１１５】
スイッチ１６３は、初期値出力フラグ生成部１６１から初期値出力フラグが出力されている間は、固定値出力部１６２の出力データ、即ち、「0,1等確率を示す固定値」を出力データDoutとして、デマッピング部２３等を介してビタビ復号部２６（図１参照）に出力する。
【０１１６】
これに対して、スイッチ１６３は、初期値出力フラグ生成部１６１から初期値出力フラグが出力されていない間は、記憶部５１の出力データ、即ち、OFDM受信装置にとっての受信データ（キャリアデータ）を出力データDoutとして、デマッピング部２３等を介してビタビ復号部２６（図１参照）に出力する。
【０１１７】
このような構成を有する図１１の例の時間デインタリーブ部２２の動作は次の通りとなる。
【０１１８】
リセット入力後の記憶部５１とアドレス生成部５２の動作自体は、図２を用いて説明した従来の動作と基本的に同様である。即ち、記憶部５１の出力動作の観点では、リセット直後には、その初期値を出力していること自体は従来と変わりはない。
【０１１９】
ところが、この記憶部５１が初期値を出力している間は、上述したように、初期値出力フラグ生成部１６１から初期値出力フラグが出力されている状態である。従って、スイッチ１６３の出力動作の観点からみると、即ち、本発明の時間デインタリーブ部２２の最終出力動作の観点からみると、記憶部５１が初期値を出力している間は、その初期値ではなく、固定値出力部１６２からの「0,1等確率を示す固定値」が、出力データDoutとして出力されるのである。
【０１２０】
そして、記憶部５１が初期値の出力を終了して、OFDM受信装置にとっての受信データ（キャリアデータ）の出力を開始すると、初期値出力フラグ生成部１６１からの初期値出力フラグの出力が停止される。その結果、スイッチ１６３からは、即ち、本発明の時間デインタリーブ部２２からは、そのOFDM受信装置にとっての受信データ（キャリアデータ）が出力データDoutとして出力されるのである。
【０１２１】
このような図１１の例に対して、図１２の例の時間デインタリーブ部２２には、従来と同様の記憶部５１とアドレス生成部５２（図２参照）に加えてさらに、初期値書き込みアドレス生成部１９１、スイッチ１９２、および固定値出力部１６２が設けられている。
【０１２２】
初期値書き込みアドレス生成部１９１は、記憶部５１に初期値が挿入されている領域を、初期値書き込みアドレスAdiとして生成して、リセットが入力された段階で、その初期値書き込みアドレスAdiをスイッチ１９２に出力する。また、初期値書き込みアドレス生成部１９１は、リセットが入力されたタイミングと、初期値書き込みアドレスAdiの出力後の所定タイミングとのそれぞれにおいて、スイッチ切替制御信号をスイッチ１９２に出力する。
【０１２３】
スイッチ１９２は、初期値書き込みアドレス生成部１９１からのスイッチ切替制御信号に基づいて、初期値書きこみアドレス生成部１９１からの初期値書きこみアドレスAdiと、アドレス生成部５２からの書き込みアドレスAdwや読み出しアドレスAdrとのうちの一方を、記憶部５１に出力する。
【０１２４】
また、スイッチ１９２は、また、自身の出力切替タイミングのそれぞれにおいて、スイッチ切替制御信号をスイッチ１９３に出力する。
【０１２５】
スイッチ１９３は、スイッチ１９２からのスイッチ切替制御信号に基づいて、OFDM受信装置にとっての受信データ（キャリアデータ）である入力データDin、または、固定値出力部１６２の出力データとのうちの一方を、記憶部５１に出力する。
【０１２６】
固定値出力部１６２の出力データとは、上述した「0,1等確率を示す固定値」である。
【０１２７】
このような構成を有する図１２の例の時間デインタリーブ部２２の動作は次の通りとなる。
【０１２８】
リセット入力後の記憶部５１とアドレス生成部５２の動作自体は、図２を用いて説明した従来の動作と基本的に同様である。即ち、記憶部５１の出力動作の観点では、リセット直後には、その初期値を出力していること自体は従来と変わりはない。
【０１２９】
ところが、図１２の例でいう記憶部５１の初期値とは、従来の初期値を意味するのではなく、「0,1等確率を示す固定値」を意味する。
【０１３０】
即ち、リセット直後、スイッチ１９２からは、初期値書き込みアドレス生成部１９１からの初期値書き込みアドレスAdiが記憶部５１に出力され、また、スイッチ１９３からは、「0,1等確率を示す固定値」が記憶部５１に出力される。その結果、リセット直後、即ち、OFDM受信装置１０（図１）の復調開始時において、記憶部５１の内容が、「0,1等確率を示す固定値」に初期化されるのである。換言すると、「0,1等確率を示す固定値」が、記憶部５１の初期値となるのである。
【０１３１】
なお、リセット直後の本発明の時間デインタリーブ部２２の出力は、上述した例では、後段の誤り訂正部としてビタビ復号部２６を想定していたため「0,1等確率を示す固定値」とされたが、当然ながら上述した例に限定されず、後段の誤り訂正部にとって無害な値であれば足りる。この場合、かかる無害な値を、図１１や図１２の固定値出力部１６２または図示せぬブロックから出力させることで、容易に実現可能である。
【０１３２】
また、本発明は、上述した例に限定されず、その他様々な装置に適用可能である。例えば、本発明は、ISDB-T復調用誤り訂正の機能を有する様々な装置に適用可能である。換言すると、かかる装置の一例が、上述した例であるといえる。
【０１３３】
以上まとめると、ISDB-T規格によれば、受信側においては、時間デインタリーバなど、複数のデインタリーバが存在する。従来、これらのデインタリーバにおいては、その動作初期段階では受信値（キャリアデータ）と、その記憶装置（RAM等）の初期値が入り混じって読出されていた。
【０１３４】
そこで、本発明は、後者、即ち、デインタリーバの記憶装置（RAM等）の初期値を区別して、後段の誤り訂正処理、例えばビタビ（Viterbi）復号やRS復号時において消失(erasure)として明示するようにして、その訂正能力を向上し、誤り訂正部の出力を早く整合性の取れたものにすることを目的のひとつとする。従って、本発明が適用される装置とは、かかる目的を達成可能な構成を有していれば足り、上述した例に特に限定されない。
【図面の簡単な説明】
【０１３５】
【図１】本発明が適用されるOFDM装置の構成例を示すブロック図である。
【図２】本発明と比較するための従来の時間デインタリーブ部の構成例を示すブロック図である。
【図３】図２の従来の時間デインタリーブ部と、ビタビ復号部とを含む従来のOFDM装置の構成例の概略を示すブロック図である。
【図４】図３の従来のOFDM装置内の各信号の一例を示すタイミングチャートである。
【図５】図１の時間デインタリーブ部、即ち、本発明が適用される時間デインタリーブ部から出力されるデータの一例であって、0,1の確率が等しい受信値を説明するための図である。
【図６】図１の時間デインタリーブ部、即ち、本発明が適用される時間デインタリーブ部から出力されるデータの一例であって、0,1の確率が等しい受信値を説明するための図である。
【図７】図１の時間デインタリーブ部、即ち、本発明が適用される時間デインタリーブ部から出力されるデータの一例であって、0,1の確率が等しい受信値を説明するための図である。
【図８】図１の時間デインタリーブ部、即ち、本発明が適用される時間デインタリーブ部から出力されるデータの一例であって、0,1の確率が等しい受信値を説明するための図である。
【図９】図１の装置の構成例の概略図であって、従来の図３の構成例と比較可能な概略を示すブロック図である。
【図１０】図９のOFDM装置内の各信号の一例を示すタイミングチャート、従来の図４と比較可能なように対応させたタイミングチャートである。
【図１１】図１の時間デインタリーブ部、即ち、本発明が適用される時間デインタリーブ部の詳細な構成例を示すブロック図である。
【図１２】図１の時間デインタリーブ部、即ち、本発明が適用される時間デインタリーブ部の詳細な構成例であって、図１１とは異なる例を示すブロック図である。
【符号の説明】
【０１３６】
１０  OFDM受信装置，  １１  アンテナ１１，  １２  チューナ，  １２ａ  乗算部，  １２ｂ  局部発振部，  １３  BPF部，  １４  Ａ／Ｄ変換部，  １５  DCキャンセル部，  １６  デジタル直交復調部，  １７  FFT部，  １８  フレーム検出部，  １９  同期部，  ２０  キャリア復調部，  ２１  周波数デインタリーブ部，  ２２  時間デインタリーブ部，  ２３  デマッピング部，  ２４  ビットデインタリーブ部，  ２５  デパンクチャ部，  ２６  ビタビ復号部，  ２７  バイトデインタリーブ部，  ２８  拡散信号除去部，  ２９  トランスポートストリーム生成部，  ３０  ＲＳ復号部，  ５１  記憶部，  ５２  アドレス生成部，  ６１  計数部，  ６２  アドレス保持部，  ６３  アドレス生成部，  １６１  初期値出力フラグ生成部，  １６２  固定値出力部，  １６３  スイッチ，  
【図１】
2009005306.tif 000003
【図２】
2009005306.tif 000004
【図３】
2009005306.tif 000005
【図４】
2009005306.tif 000006
【図５】
2009005306.tif 000007
【図６】
2009005306.tif 000008
【図７】
2009005306.tif 000009
【図８】
2009005306.tif 000010
【図９】
2009005306.tif 000011
【図１０】
2009005306.tif 000012
【図１１】
2009005306.tif 000013
【図１２】
2009005306.tif 000014